(57)【要約】【課題】本発明の目的は、受信端での到着時刻に差が生じている場合でも元のデータ系列を再合成することが容易であるタイムスロットインタリーブ伝送方法及びタイムスロットインタリーブ伝送システムを提供することである。【解決手段】本発明は、伝送フレームをもった複数のデータ系列をインタリーブして異なる波長で伝送するためのタイムスロットインタリーブ伝送方法であって、複数のデータ系列のフレーム同期信号の先頭を同期させる段階、複数のデータ信号の情報単位であるタイムスロットを一定の順序でインタリーブする段階、インタリーブ後の複数のデータ系列を異なる波長で伝送する段階、受信した複数のデータ系列のフレーム同期信号の先頭を同期させる段階、複数の受信データ系列の情報単位であるタイムスロットを一定の順序でデインタリーブする段階、を有することを特徴とする。【選択図】図７
2014039106.tif 000002
【特許請求の範囲】
【請求項１】
複数のデータ系列を情報単位であるタイムスロットでインタリーブし、異なる波長で伝送するタイムスロットインタリーブ伝送方法であって、
前記データ系列間で前記伝送フレームを同期させる送信同期ステップと、
前記送信同期ステップで同期された前記伝送フレームを前記データ系列間で所定ルールに従ってタイムスロット毎にデータを入れ替え、入替フレームを生成するインタリーブステップと、
前記インタリーブステップで生成された前記入替フレームが含まれる前記データ系列をそれぞれ異なる波長で伝送する伝送ステップと、
前記伝送ステップで伝送された前記データ系列に含まれるフレーム同期信号を用いて前記入替フレームを同期させる受信同期ステップと、
前記受信同期ステップで同期された前記入替フレームを前記データ系列間で所定ルールに従ってタイムスロット毎にデータを入れ替え、前記伝送フレームを復元するデインタリーブステップと、
を行うことを特徴とするタイムスロットインタリーブ伝送方法。
【請求項２】
前記データ系列数をＮ（Ｎは２以上の整数）、前記情報単位をＭビット（Ｍは自然数）とするとき、Ｎ×Ｍが１つの前記伝送フレーム内に含まれる総ビット数の約数であることを特徴とする請求項１に記載のタイムスロットインタリーブ伝送方法。
【請求項３】
前記伝送フレームがマルチフレームであることを特徴とする請求項１又は２に記載のタイムスロットインタリーブ伝送方法。
【請求項４】
前記伝送フレームを複数のレーンに分配する際に、前記伝送フレーム毎に前記レーンをローテーションして分配するマルチレーン分配ステップと、
複数のレーンからのデータをフレーム毎に結合する際に、フレーム毎に前記レーンをローテーションして結合するマルチレーン結合ステップと、
を有し、
前記マルチレーン分配ステップを前記インタリーブステップ後且つ前記伝送ステップ前に行い、前記マルチレーン結合ステップを前記伝送ステップ後且つ前記受信同期ステップ前に行うことを特徴とする請求項３に記載のタイムスロットインタリーブ伝送方法。
【請求項５】
前記伝送フレームを複数のレーンに分配する際に、前記伝送フレーム毎に前記レーンをローテーションして分配するマルチレーン分配ステップと、
複数のレーンからのデータをフレーム毎に結合する際に、フレーム毎に前記レーンをローテーションして結合するマルチレーン結合ステップと、
を有し、
前記マルチレーン分配ステップを前記送信同期ステップ後且つ前記インタリーブステップ前に行い、前記マルチレーン結合ステップを前記デインタリーブステップ後に行うこと
を特徴とする請求項３に記載のタイムスロットインタリーブ伝送方法。
【請求項６】
請求項１から５のいずれかに記載のタイムスロットインタリーブ伝送方法を送信器及び受信器に行わせる制御回路を備えるタイムスロットインタリーブ伝送システム。
【発明の詳細な説明】
【技術分野】
【０００１】
本発明は、複数の伝送フレームをインタリーブして異なる波長で伝送するために伝送フレームを分解して再合成するタイムスロットインタリーブ伝送方法及びそのシステムに関する。
【背景技術】
【０００２】
光通信システムの基幹網における次世代のチャネルあたり１００Ｇｂｐｓ級の伝送方式として、偏波多重直交位相シフトキーイング（ＤＰ−ＱＰＳＫ）およびデジタルコヒーレント受信を組み合わせた技術の導入準備が進められている。ＤＰ−ＱＰＳＫのような偏波多重信号は、偏波モード分散（ＰＭＤ）や偏波依存損失（ＰＤＬ）といった伝送路の偏波依存性に起因する劣化要因を従来の単一偏波信号よりも受けやすくなることが懸念される。これらの偏波起因の劣化要因は、時間的に変動することからこれまで補償が困難であったが、前述のデジタルコヒーレント技術の構成要素であるデジタル信号処理（ＤＳＰ）回路を用いた適応型ブラインド等化処理アルゴリズムによって、ＰＭＤに関しては現実的な補償が可能となってきた。一方、ＰＤＬに関しては、ＰＭＤと同様のＤＳＰによる補償は困難であるが、波長インタリーブ伝送技術（非特許文献１）を用いることにより効果的にシステム不稼働率を低減させることが可能である。波長インタリーブ伝送方式は、送信部において複数のデータ系列間でビットなどの情報単位でインタリーブして、それぞれ異なる搬送波波長の光信号として伝送させ、受信部においてインタリーブされたデータ系列を元に戻すことによって、情報単位ごとに異なる波長で伝送する方式である。図１６に波長インタリーブ伝送技術の概念図を示す。
【先行技術文献】
【非特許文献】
【０００３】
【非特許文献１】芝原他、「偏波多重光伝送システムにおけるＰＤＬ耐力向上方式の提案」、電子情報通信学会  ２０１１年ソサイエティ大会、Ｂ−１０−５４、Ｐ．２６７、２０１１年．
【非特許文献２】ＩＴＵ−Ｔ勧告  Ｇ．７０９
【発明の概要】
【発明が解決しようとする課題】
【０００４】
しかしながら、波長インタリーブ伝送方式では、ある１つのデータ系列の信号に着目すると複数の波長を使って伝送されるため、光ファイバ伝送路の波長分散等の影響により、受信端での到着時刻に差が生じてしまい、元のデータ系列を再合成することが困難となってしまうという課題がある。
【０００５】
そこで、本発明は、このような課題を解決すべく、受信端での到着時刻に差が生じている場合でも元のデータ系列を再合成することが容易であるタイムスロットインタリーブ伝送方法及びタイムスロットインタリーブ伝送システムを提供することを目的とする。
【課題を解決するための手段】
【０００６】
本発明は、上記課題を解決するために、各伝送フレームに配置された同一のフレーム同期信号を用いて受信側で伝送フレームの同期をとることとした。
【０００７】
具体的には、本発明に係るタイムスロットインタリーブ伝送方法は、複数のデータ系列を情報単位であるタイムスロットでインタリーブし、異なる波長で伝送するタイムスロットインタリーブ伝送方法であって、
前記データ系列間で前記伝送フレームを同期させる送信同期ステップと、
前記送信同期ステップで同期された前記伝送フレームを前記データ系列間で所定ルールに従ってタイムスロット毎にデータを入れ替え、入替フレームを生成するインタリーブステップと、
前記インタリーブステップで生成された前記入替フレームが含まれる前記データ系列をそれぞれ異なる波長で伝送する伝送ステップと、
前記伝送ステップで伝送された前記データ系列に含まれるフレーム同期信号を用いて前記入替フレームを同期させる受信同期ステップと、
前記受信同期ステップで同期された前記入替フレームを前記データ系列間で所定ルールに従ってタイムスロット毎にデータを入れ替え、前記伝送フレームを復元するデインタリーブステップと、
を行うことを特徴とする。
【０００８】
伝送フレームは同一のフレーム同期信号を持つから、インターリーブでデータの入れ替えを行った後の入替フレームにも同一のフレーム同期信号が現れる。従って、受信側でこのフレーム同期信号を用いて入替フレームの同期をとることができる。
【０００９】
従って、本発明は、受信端での到着時刻に差が生じている場合でも元のデータ系列を再合成することが容易であるタイムスロットインタリーブ伝送方法を提供することができる。
【００１０】
本発明に係るタイムスロットインタリーブ伝送方法は、前記データ系列数をＮ（Ｎは２以上の整数）、前記情報単位をＭビット（Ｍは自然数）とするとき、Ｎ×Ｍが１つの前記伝送フレーム内に含まれる総ビット数の約数であることを特徴とする。
【００１１】
本発明に係るタイムスロットインタリーブ伝送方法は、前記伝送フレームをマルチフレームとすることができる。マルチフレームにも同一パターンのフレーム同期信号があり、タイムスロット毎にデータを入れ替えてもフレーム同期信号が現れる。従って、受信側でこのフレーム同期信号を用いて同期をとることができる。
【００１２】
１つのデータ系列を複数の波長で伝送することを可能とするマルチレーン伝送方式は、光トランスポートネットワーク（ＯＴＮ）の伝送機能の１つとしてＩＴＵ−Ｔ勧告Ｇ．７０９（非特許文献２）に記載されている。これは、元のデータ系列を構成する伝送フレーム（ＯＴＵｋ）がもっていたフレーム同期信号が、並列伝送される各レーンに一定間隔で必ず現れるようにして、さらにフレーム同期信号またはマルチフレーム同期信号の一部にレーン識別の情報を載せることにより実現される。
【００１３】
しかし、このマルチレーン伝送方式は、並列展開された信号の到着時間差を補償する機能を有するが、時間的にインタリーブされた信号を分離して、さらに元の信号を再合成する機能はもっていない。
【００１４】
そこで、本発明に係るタイムスロットインタリーブ伝送方法は、前記伝送フレームを複数のレーンに分配する際に、前記伝送フレーム毎に前記レーンをローテーションして分配するマルチレーン分配ステップと、
複数のレーンからのデータをフレーム毎に結合する際に、フレーム毎に前記レーンをローテーションして結合するマルチレーン結合ステップと、
を有し、
前記マルチレーン分配ステップを前記インタリーブステップ後且つ前記伝送ステップ前に行い、前記マルチレーン結合ステップを前記伝送ステップ後且つ前記受信同期ステップ前に行うこととした。
【００１５】
また、前記伝送フレームを複数のレーンに分配する際に、前記伝送フレーム毎に前記レーンをローテーションして分配するマルチレーン分配ステップと、
複数のレーンからのデータをフレーム毎に結合する際に、フレーム毎に前記レーンをローテーションして結合するマルチレーン結合ステップと、
を有し、
前記マルチレーン分配ステップを前記送信同期ステップ後且つ前記インタリーブステップ前に行い、前記マルチレーン結合ステップを前記デインタリーブステップ後に行うこととしてもよい。マルチレーン伝送する場合、各レーンに一定間隔でフレーム同期信号が現れる。従って、受信側でこのフレーム同期信号を用いて同期をとることができる。
【００１６】
本発明に係るタイムスロットインタリーブ伝送システムは、前記タイムスロットインタリーブ伝送方法を送信器及び受信器に行わせる制御回路を備える。本発明は、上記タイムスロットインタリーブ伝送方法を行うため、受信端での到着時刻に差が生じている場合でも元のデータ系列を再合成することが容易であるタイムスロットインタリーブ伝送システムを提供することができる。
【発明の効果】
【００１７】
本発明は、受信端での到着時刻に差が生じている場合でも元のデータ系列を再合成することが容易であるタイムスロットインタリーブ伝送方法及びタイムスロットインタリーブ伝送システムを提供することができる。
【図面の簡単な説明】
【００１８】
【図１】本発明に係るタイムスロットインタリーブ伝送システムを説明する図である。
【図２】本発明に係るタイムスロットインタリーブ伝送システムの送信側のタイムスロットインタリーバで行われる操作を模式的に示したものである。
【図３】光トランスポートネットワーク（ＯＴＮ）の伝送フレーム（ＯＴＵｋ）のオーバヘッド部分の構成を示したものである。
【図４】本発明に係るタイムスロットインタリーブ伝送システムの受信側のデスキュー回路の構成例を説明する図である。
【図５】本発明に係るタイムスロットインタリーブ伝送システムの受信側のデスキュー回路の動作を模式的に示した図である。
【図６】本発明に係るタイムスロットインタリーブ伝送システムのタイムスロットデインタリーバの動作を模式的に示したものである。
【図７】本発明に係るタイムスロットインタリーブ伝送システムを説明する図である。
【図８】本発明に係るタイムスロットインタリーブ伝送システムを説明する図である。
【図９】４レーンマルチレーン並列伝送の動作を模式的に示したものである。
【図１０】レーンの識別を実現するための仕組みを示した図である。
【図１１】２０レーンマルチレーン並列伝送の動作を模式的に示したものである。
【図１２】レーンの識別を実現するための仕組みを示した図である。
【図１３】光トランスポートネットワーク（ＯＴＮ）の伝送フレーム（ＯＴＵｋ）のオーバヘッド部分の構成を示したものである。
【図１４】本発明に係るタイムスロットインタリーブ伝送システムを説明する図である。
【図１５】本発明に係るタイムスロットインタリーブ伝送システムの送信側のタイムスロットインタリーバで行われる操作を模式的に示したものである。
【図１６】波長インタリーブ伝送技術の概念図である。
【発明を実施するための形態】
【００１９】
添付の図面を参照して本発明の実施形態を説明する。以下に説明する実施形態は本発明の実施形態であり、本発明は、以下の実施形態に制限されるものではない。なお、本明細書及び図面において符号が同じ構成要素は、相互に同一のものを示すものとする。
【００２０】
（実施形態１）
図１は、本実施形態のタイムスロットインタリーブ伝送システム３０１を説明する図である。タイムスロットインタリーブ伝送システム３０１は、送信器１０１、受信器１０２、及び両者を接続する光ファイバ伝送路１０３を備える。送信器１０１及び受信器１０２は、以下に説明するタイムスロットインタリーブ伝送方法を実現するための制御回路（１１、１２）を有する。
【００２１】
制御回路（１１、１２）が行うタイムスロットインタリーブ伝送方法は、複数のデータ系列を情報単位であるタイムスロットでインタリーブし、異なる波長で伝送するタイムスロットインタリーブ伝送方法であって、
前記データ系列間で前記伝送フレームを同期させる送信同期ステップと、
前記送信同期ステップで同期された前記伝送フレームを前記データ系列間で所定ルールに従ってタイムスロット毎にデータを入れ替え、入替フレームを生成するインタリーブステップと、
前記インタリーブステップで生成された前記入替フレームが含まれる前記データ系列をそれぞれ異なる波長で伝送する伝送ステップと、
前記伝送ステップで伝送された前記データ系列に含まれるフレーム同期信号を用いて前記入替フレームを同期させる受信同期ステップと、
前記受信同期ステップで同期された前記入替フレームを前記データ系列間で所定ルールに従ってタイムスロット毎にデータを入れ替え、前記伝送フレームを復元するデインタリーブステップと、
を行うことを特徴とする。
【００２２】
本実施形態では、インタリーブ数（データ系列数Ｎ）が２の場合を示す。送信側では、２つの送信側フレーマ２１がフレーム同期回路２２によりフレーム位相同期状態で動作する。フレーム同期回路２２は、例えば一例として、フレーム同期パルスを２つの送信側フレーマ２１に同時に到達するように発信することによりフレーム位相同期を実現する。このようにして２つの送信側フレーマ２１から出力される伝送フレームは、フレームの先頭位置がそろった状態で出力され、タイムスロットインタリーバ２３に入力される。タイムスロットインタリーバ２３では、入力された２つの伝送フレームを構成する情報単位（ビットやバイトなど）のタイムスロットが互い違いに入れ替えられ、入力と同じビットレートの２つのデータ系列（入替フレーム）が出力される。タイムスロットインタリーバ２３から出力された２つのデータ系列は、それぞれ送信器２４＃１で波長λ１の光信号に送信器２４＃２で波長λ２の光信号に変換されて合波器２５で合波され光ファイバ伝送路１０３に送出される。
【００２３】
受信側では、受信した光信号を分波器３１で波長λ１の光信号と波長λ２の光信号に分離して、それぞれ受信器３２＃１、受信機３２＃２で受信される。受信された２つの信号は、それぞれ識別再生されてデジタルデータ系列（入替フレーム）となりデスキュー回路３３に入力される。デスキュー回路３３では、異なる波長で伝送された２つのデータ系列（入替フレーム）の遅延時間差を補償して、タイムスロットデインタリーバ３４に入力する。タイムスロットデインタリーバ３４では、送信側のタイムスロットインタリーバ２３と逆の操作が施される。即ち、入力された２つのデータ系列を構成する情報単位（ビットやバイトなど）のタイムスロットが互い違いに入れ替えられ、入力と同じビットレートの２つのデータ系列が出力される。出力された２つのデータ系列は、送信側の２つの伝送フレームになっており、それぞれ受信側フレーマ３５＃１、受信側フレーマ３５＃２に入力されフレーム終端処理が施される。
【００２４】
図２は、送信側のタイムスロットインタリーバ２３で行われる操作を模式的に示したものである。ここでは、１ビット単位でインタリーブを行う、ビット・インタリーブの場合を示す。送信側フレーマ２１＃１から出力される伝送フレーム＃１と送信側フレーマ２１＃２から出力される伝送フレーム＃２は、フレーム同期がとられているためフレームの先頭がビットレベルで一致している。フレームの先頭には、固定パターンであるフレーム同期信号が配置されているため、フレーム同期信号だけに着目すると伝送フレーム＃１と伝送フレーム＃２は同じビット列が並んでいる。ここでは、伝送フレーム＃１と伝送フレーム＃２の間で偶数番目のビットを入れ替える操作を行う。伝送フレームは同一のフレーム同期信号を持つから、インターリーブでデータの入れ替えを行った後の入替フレームにも同一のフレーム同期信号が現れる。入れ替えを行った後のデータ系列を、図２の下部に示す。網掛けのビットは伝送フレーム＃１のビット、白色背景のビットは伝送フレーム＃２のビットを示す。デスキュー回路３３は、このフレーム同期信号を利用して入替フレームの遅延時間差を補償する。
【００２５】
伝送フレームがマルチフレームであってもよい。図３は、非特許文献２に記載されている光トランスポートネットワーク（ＯＴＮ）の伝送フレーム（ＯＴＵｋ）のオーバヘッド部分の構成を示したものである。フレーム同期信号（ＦＡＳ）は、ＯＡ１（１１１１０１１０）とＯＡ２（００１０１０００）の２つの固定パターンの６バイトで構成されている。その後ろにはマルチフレーム同期信号（ＭＦＡＳ）が１バイト配置される。ＦＡＳは各フレームで同じパターンである。このため、タイムスロットインタリーブ伝送システム３０１の各送信側フレーマ２１から出力されたフレーム先頭位置を合わせた２つのＯＴＵｋフレームについてタイムスロットインタリーブを行っても、入替フレームのＦＡＳの部分に同じパターンが現れることになる。すなわち、ＯＴＮの伝送フレーム（ＯＴＵｋ）についても同様に、受信端での到着時刻に差が生じている場合でも元のデータ系列を再合成することが容易であるタイムスロットインタリーブ伝送を行うことができる。
【００２６】
図４は、受信側のデスキュー回路３３の構成例を説明する図である。波長λ１で伝送された受信データ系列（入替フレーム）＃１と波長λ２で伝送された受信データ系列（入替フレーム）＃２は、それぞれ入力バッファ４１を介してフレーム同期信号掲出回路４２に入力される。フレーム同期信号検出回路４２では、それぞれのデータ系列に含まれるＦＡＳを検出して、その先頭の遅延時間差から遅延差検出回路４５で遅延差を検出する。検出された遅延差からデスキュー回路で与える遅延量を遅延量決定回路４６で決定し、デスキュー指示回路４７で可変遅延回路４４の遅延量を調整する。
【００２７】
図５は、デスキュー回路３３の動作を模式的に示した図である。デスキュー回路３３の入力端では、受信データ系列（入替フレーム）＃１のフレーム同期信号の先頭と受信データ系列（入替フレーム）＃２のフレーム同期信号の先端は、一般には時間的に一致していない。デスキュー回路３３では、フレーム同期信号の先頭位置を検出し、その遅延量を補償することにより、受信データ系列＃１と受信データ系列＃２のフレーム同期信号の先頭をビットレベルで一致させる。
【００２８】
図６は、タイムスロットデインタリーバ３４の動作を模式的に示したものである。ここでは、送信側のビットインタリーブに対応させて、１ビット単位でデインタリーブを行う、ビットデインタリーブの場合を示す。ここでは、デスキュー回路３３によりフレーム同期信号の先頭が一致した、受信データ系列（入替フレーム）＃１と受信データ系列（入替フレーム）＃２の偶数番目のビットを入れ替える。結果として、元の伝送フレーム、伝送フレーム＃１と伝送フレーム＃２が再合成される。
【００２９】
（実施形態２）
図７は、本実施形態のタイムスロットインタリーブ伝送システム３０２を説明する図である。本実施形態では、一般化したインタリーブ数（データ系列）がＮの場合を示す。タイムスロットインタリーブ伝送システム３０２と図１のタイムスロットインタリーブ伝送システム３０１との違いは、送信側フレーマ２１、送信器２４、受信器３２、及び受信側フレーマ３５の数である。タイムスロットインタリーブ伝送システム３０２の動作は、図１のタイムスロットインタリーブ伝送システム３０１と同じである。ただし、ビットインタリーブの場合、Ｎは１つの伝送フレームを構成するビット数の約数となっている必要がある。また、一般化してＭビット単位（バイト単位の場合はＭ＝８）でタイムスロットインタリーブを行う場合、Ｎ×Ｍが１つの伝送フレームを構成するビット数の約数となっている必要がある。
【００３０】
（実施形態３）
図８は、本実施形態のタイムスロットインタリーブ伝送システム３０３を説明する図である。本構成は、本発明の技術と非特許文献２に記載されているマルチレーン並列伝送（ＭＬＤ）技術を併用させる場合の構成である。図１のタイムスロットインタリーブ伝送システム３０１と異なる点は次の通りである。
送信器１０１において、
送信側フレーマ２１＃１と送信側フレーマ２１＃２のフレーム同期に加えてマルチフレーム同期を行うため、フレーム同期回路２２の代わりにフレーム／マルチフレーム同期回路２２’を備えている点、
送信側のタイムスロットインタリーバ２３と送信器２４＃１および送信器２４＃２の間に送信側ＭＬＤ回路２６＃１および送信側ＭＬＤ回路２６＃２を配置した点、
受信器１０２において、
受信器３２＃１および受信器３２＃２とデスキュー回路３３の間に受信側ＭＬＤ回路３６＃１および受信側ＭＬＤ回路３６＃２を配置した点である。
図８に示す構成例では、ＭＬＤ回路＃１（送信側／受信側）とＭＬＤ回路＃２（送信側／受信側）のレーン数は同じでも異なっても構わない。
【００３１】
制御回路（１１、１２）は、送信器１０１及び受信器１０２を次のように動作させる。
前記伝送フレームを複数のレーンに分配する際に、前記伝送フレーム毎に前記レーンをローテーションして分配するマルチレーン分配ステップと、
複数のレーンからのデータをフレーム毎に結合する際に、フレーム毎に前記レーンをローテーションして結合するマルチレーン結合ステップと、
を有し、
前記マルチレーン分配ステップを前記インタリーブステップ後且つ前記伝送ステップ前に行い、前記マルチレーン結合ステップを前記伝送ステップ後且つ前記受信同期ステップ前に行う。
【００３２】
図９は、４レーンＭＬＤの動作を模式的に示したものである。伝送フレーム（ＯＴＵフレーム）は、１６バイト毎にＬａｎｅ０、Ｌａｎｅ１、Ｌａｎｅ２、Ｌａｎｅ３の順に分配される。２フレーム目の先頭ではレーンを１つシフトさせて、１６バイト毎にＬａｎｅ１、Ｌａｎｅ２、Ｌａｎｅ３、Ｌａｎｅ０の順に分配する。３フレーム目、４フレーム目も同様に先頭でレーンを１つずつシフトさせて分配する。５フレーム目は、一巡して１フレーム目と同じ順序で分配する。このようにすることで、各レーンに必ず一定間隔でＦＡＳが現れるので、レーン毎のＦＡＳ先頭検出とスキュー補償が可能となる。
【００３３】
図１０は、レーンの識別を実現するための仕組みを示した図である。レーンの識別には、ＭＦＡＳバイトの下位２ビットを用いる。下位２ビットが“００”の場合はＬａｎｅ０に、下位２ビットが“０１”の場合はＬａｎｅ１に、下位２ビットが“１０”の場合はＬａｎｅ２に、下位２ビットが“１１”の場合はＬａｎｅ３にそれぞれＦＡＳが現れる。
【００３４】
図８のタイムスロットインターリーバ２３の出力は、元のＯＴＵフレームが持っていたＦＡＳおよびＭＦＡＳの構造が保持されるため、ＦＡＳおよびＭＦＡＳを用いたＭＬＤ機構はそのまま使うことができる。
【００３５】
図１１は、２０レーンＭＬＤの動作を模式的に示したものである。分配動作は４レーンＭＬＤと同様であるが、レーン識別の方法が異なる。図１２は、２０レーンＭＬＤの場合のレーン識別を実現するための仕組みを示す。レーンの識別には、論理レーンマーカー（ＬＬＭ）バイトを２０で割った余りを用いる。ＬＬＭは、図１３に示すようにＦＡＳの６バイト目を用いる。
【００３６】
（実施形態４）
図１４は、本実施形態のタイムスロットインタリーブ伝送システム３０４を説明する図である。本構成は、本発明の技術と非特許文献２に記載されているマルチレーン並列伝送（ＭＬＤ）技術を併用させる場合のもう１つの構成例である。図８のタイムスロットインタリーブ伝送システム３０３と異なる点は次の通りである。
送信器１０１において、
送信側ＭＬＤ回路２６がタイムスロットインタリーバ２３の前段配置されている点、
受信器１０２において、
受信側ＭＬＤ回路３６がタイムスロットデインタリーバ３４の後に配置されている点である。
タイムスロットインタリーバ２３には、送信側ＭＬＤ回路２６で分配された並列信号が入力されるが、各レーンにおいてＦＡＳおよびＭＦＡＳが一定間隔で出現する規則が保持されるため、タイムスロットデインタリーバ３４の出力においてもＦＡＳおよびＭＦＡＳは各レーンで保持される。
【００３７】
図１４に示す構成例では、ＭＬＤ回路＃１（送信側／受信側）とＭＬＤ回路＃２（送信側／受信側）のレーン数は同じでなければならない。その理由は、もしレーン数が異なっている場合、タイムスロットインタリーバ２３に入力される送信側ＭＬＤ回路２６＃１からの信号と送信側ＭＬＤ回路２６＃２からの信号のレーン数とビットレートが異なってしまい、そのままではインタリーブ処理ができないためである。
【００３８】
制御回路（１１、１２）は、送信器１０１及び受信器１０２を次のように動作させる。
前記伝送フレームを複数のレーンに分配する際に、前記伝送フレーム毎に前記レーンをローテーションして分配するマルチレーン分配ステップと、
複数のレーンからのデータをフレーム毎に結合する際に、フレーム毎に前記レーンをローテーションして結合するマルチレーン結合ステップと、
を有し、
前記マルチレーン分配ステップを前記送信同期ステップ後且つ前記インタリーブステップ前に行い、前記マルチレーン結合ステップを前記デインタリーブステップ後に行う。
【００３９】
図１５は、伝送フレーム＃１のレーン０と伝送フレーム＃２のレーン０をビットインタリーブする操作を模式的に示したものである。タイムスロットインタリーブ伝送システム３０４がレーン毎に図２、図５、図６に示したものと同様の動作をすることは明らかである。
【００４０】
以下は、本実施形態のタイムスロットインタリーブ伝送方法及びそのシステムを説明したものである。
（１）
伝送フレームをもった複数のデータ系列をインタリーブして異なる波長で伝送するためのタイムスロットインタリーブ伝送方法であって、
複数のデータ系列のフレーム同期信号の先頭を同期させる段階、
複数のデータ信号の情報単位であるタイムスロットを一定の順序でインタリーブする段階、
インタリーブ後の複数のデータ系列を異なる波長で伝送する段階、
受信した複数のデータ系列のフレーム同期信号の先頭を同期させる段階、
複数の受信データ系列の情報単位であるタイムスロットを一定の順序でデインタリーブする段階、
を有することを特徴とするタイムスロットインタリーブ伝送方法。
（２）
インタリーブする伝送フレーム数をＮ（Ｎは２以上の整数）、インタリーブする情報単位をＭビット（Ｍは自然数）とするとき、
Ｎ×Ｍが１つの伝送フレーム内に含まれる総ビット数の約数であること、
を特徴とする請求項１に記載のタイムスロットインタリーブ伝送方法。
（３）
複数の伝送フレームのマルチフレームの先頭を同期させる段階、
をさらに有することを特徴とする請求項１もしくは請求項２に記載のタイムスロットインタリーブ伝送方法。
（４）
マルチレーン分配処理を行う段階、
マルチレーン結合処理を行う段階、
をさらに有することを特徴とする請求項３に記載のタイムスロットインタリーブ伝送方法。
（５）
上記（１）から（４）までのいずれかに記載のタイムスロットインタリーブ伝送方法を用いることを特徴とするタイムスロットインタリーブ伝送装置。
【００４１】
以下は、本実施形態のタイムスロットインタリーブ伝送方法及びそのシステムの効果を説明したものである。
本実施形態のタイムスロットインタリーブ伝送方法及びそのシステムは、タイムスロットインタ  リーブ処理を行う前に、伝送フレームをもつ複数のデータ系列のフレーム同期信号の先頭を同期させることによって、タイムスロットインタリーブ処理を行った後の各データ系列においても、フレーム同期信号もしくはフレーム同期信号およびマルチフレーム同期信号が保持されるため、伝送路で異なる波長で遅延時間差を受けた場合においても、受信側でデスキューおよび元のデータ系列の再合成が可能となり、波長インタリーブ伝送を実現可能な送受信器を提供することができる。また、本実施形態のタイムスロットインタリーブ伝送方法及びそのシステムは、マルチレーン伝送を行う場合においても、波長インタリーブ伝送を実現可能な送受信器を提供することができる。
【符号の説明】
【００４２】
１１、１２：制御回路
２１：送信側フレーマ
２２：フレーム同期回路
２２’：フレーム/マルチフレーム同期回路
２３：タイムスロットインタリーバ
２４：送信器
２５：合波器
２６：送信側ＭＬＤ回路
３１：分波器
３２：受信器
３３：デスキュー回路
３４：タイムスロットデインタリーバ
３５：受信側フレーマ
４１：バッファ
４２：フレーム同期信号検出回路
４３：固定遅延回路
４４：可変遅延回路
４５：遅延差検出回路
４６：遅延量決定回路
４７：デスキュー指示回路
１０１：送信器
１０２：受信器
１０３：光ファイバ伝送路
３０１〜３０４：タイムスロットインタリーブ伝送システム
【図１】
2014039106.tif 000003
【図２】
2014039106.tif 000004
【図３】
2014039106.tif 000005
【図４】
2014039106.tif 000006
【図５】
2014039106.tif 000007
【図６】
2014039106.tif 000008
【図７】
2014039106.tif 000009
【図８】
2014039106.tif 000010
【図９】
2014039106.tif 000011
【図１０】
2014039106.tif 000012
【図１１】
2014039106.tif 000013
【図１２】
2014039106.tif 000014
【図１３】
2014039106.tif 000015
【図１４】
2014039106.tif 000016
【図１５】
2014039106.tif 000017
【図１６】
2014039106.tif 000018